(57)【要約】【課題】従来の車両用アウトサイドミラー装置では、ミラーの振動を確実に防止することが難しい。【解決手段】この発明は、車体に固定されるベース２と、ベース２に格納ユニット３を介して可倒可能に装備されていてミラーユニット１８を有するミラーアセンブリ４と、格納ユニット３に取り付けられていてミラーユニット１８に弾性当接してミラーユニット１８の振動を防止する防振スプリング３２と、を備える。この結果、この発明は、ミラーユニット１８の振動を確実に防止することができる。【選択図】        図２
2010076676.tif 000002
【特許請求の範囲】
【請求項１】
ミラーアセンブリが車体に対して可倒可能である車両用アウトサイドミラー装置において、
前記車体に固定されるベースと、
前記ベースに格納ユニットを介して可倒可能に装備されていて、ミラーユニットを有する前記ミラーアセンブリと、
前記格納ユニットに取り付けられていて、前記ミラーユニットに弾性当接して前記ミラーユニットの振動を防止する防振スプリングと、
を備える、ことを特徴とする車両用アウトサイドミラー装置。
【請求項２】
前記格納ユニットは、
前記ベースに固定されているシャフトと、
前記シャフトに可倒機構を介して前記シャフト回りに可倒可能に取り付けられていて、剛性が高い部材から構成されている傾倒部材と、
を備え、
前記防振スプリングは、前記傾倒部材のうち前記シャフトに近い箇所に取り付けられている、
ことを特徴とする請求項１に記載の車両用アウトサイドミラー装置。
【請求項３】
前記傾倒部材には、コネクタを取り付けるためのコネクタ取付部が設けられていて、
前記防振スプリングは、固定部材に固定されていて、
前記固定部材は、前記コネクタ取付部に取り付けられている取付部材に一体に設けられている、
ことを特徴とする請求項２に記載の車両用アウトサイドミラー装置。
【請求項４】
前記取付部材は、前記コネクタ取付部に３方向に対して固定された状態で取り付けられていて、
前記固定部材は、前記ミラーアセンブリのミラーハウジングに固定されている、
ことを特徴とする請求項３に記載の車両用アウトサイドミラー装置。
【発明の詳細な説明】
【技術分野】
【０００１】
この発明は、ミラーアセンブリが車体（ドア）に対して可倒可能であるたとえばドアミラーなどの車両用アウトサイドミラー装置に関するものである。
【背景技術】
【０００２】
この種の車両用アウトサイドミラー装置は、従来からある（たとえば、特許文献１）。以下、従来の車両用アウトサイドミラー装置について説明する。従来の車両用アウトサイドミラー装置（ドアミラー装置）は、車両のサイドドアに取り付けられるドアミラーベースと、そのドアミラーベースに電動格納ユニットを介して可倒可能に装備されていて、ミラーおよびフレームなどを有するドアミラー本体と、フレームに装着されていて、ミラーに弾性的に圧接してミラーの振動を防止する防振プレートと、を備えるものである。前記の従来の車両用アウトサイドミラー装置においては、ミラーが防振プレートに防振支持されているので、車両走行時に生じる車体振動などに起因してミラーが振動する（ミラーにビビリが発生する）ことを防止することができる。
【０００３】
ここで、前記の従来の車両用アウトサイドミラー装置は、ドアミラーベースにドアミラー本体を電動格納ユニットを介して装備するので、ドアミラー本体のフレームのうち、電動格納ユニットの近くの部分は車体振動の振幅が小さいが、電動格納ユニットから離れた部分は車体振動の振幅が大きい。ところが、前記の従来の車両用アウトサイドミラー装置は、ドアミラー本体のフレームのうち電動格納ユニットから離れた箇所に防振プレートが装着されているので、振幅が大きい車体振動が防振プレートを介してミラーに伝達され易い。このために、前記の従来の車両用アウトサイドミラー装置は、ミラーの振動を確実に防止することが難しい。
【０００４】
【特許文献１】特開２００１−３４１５８１号公報
【発明の開示】
【発明が解決しようとする課題】
【０００５】
この発明が解決しようとする課題は、従来の車両用アウトサイドミラー装置では、ミラーの振動を確実に防止することが難しいということにある。
【課題を解決するための手段】
【０００６】
この発明（請求項１にかかる発明）は、車体に固定されるベースと、ベースに格納ユニットを介して可倒可能に装備されていてミラーユニットを有するミラーアセンブリと、格納ユニットに取り付けられていてミラーユニットに弾性当接してミラーユニットの振動を防止する防振スプリングと、を備える、ことを特徴とする。
【０００７】
また、この発明（請求項２にかかる発明）は、格納ユニットが、ベースに固定されているシャフトと、シャフトに可倒機構を介してシャフト回りに可倒可能に取り付けられていて剛性が高い部材から構成されている傾倒部材と、を備え、防振スプリングが、傾倒部材のうちシャフトに近い箇所に取り付けられている、ことを特徴とする。
【０００８】
さらに、この発明（請求項３にかかる発明）は、傾倒部材にはコネクタを取り付けるためのコネクタ取付部が設けられていて、防振スプリングが固定部材に固定されていて、固定部材がコネクタ取付部に取り付けられている取付部材に一体に設けられている、ことを特徴とする。
【０００９】
さらにまた、この発明（請求項４にかかる発明）は、取付部材がコネクタ取付部に３方向に対して固定された状態で取り付けられていて、固定部材がミラーアセンブリのミラーハウジングに固定されている、ことを特徴とする。
【発明の効果】
【００１０】
この発明（請求項１にかかる発明）の車両用アウトサイドミラー装置は、従来の車両用アウトサイドミラー装置のミラー本体のフレームと比較して車体振動が伝達し難くまた車体振動による共振が起こり難い格納ユニットに、防振スプリングが取り付けられているので、ミラーユニット（ミラー）の振動を確実に防止することができる。特に、この発明（請求項１にかかる発明）の車両用アウトサイドミラー装置は、格納ユニットに防振スプリングが取り付けられているので、ドアミラー本体のフレームのうち電動格納ユニットから離れた箇所に防振プレートが装着されている従来の車両用アウトサイドミラー装置と比較して、ミラーユニット（ミラー）の振動を確実に防止することができる。
【００１１】
また、この発明（請求項２にかかる発明）の車両用アウトサイドミラー装置は、防振スプリングが格納ユニットの傾倒部材のうちシャフトに近い箇所に取り付けられているので、従来の車両用アウトサイドミラー装置のミラー本体のフレームと比較して、車体振動が防振スプリングに伝達し難く、また、車体振動による共振が防振スプリングに起こり難い。この結果、この発明（請求項２にかかる発明）の車両用アウトサイドミラー装置は、ミラーユニット（ミラー）の振動をさらに確実に防止することができる。
【００１２】
しかも、この発明（請求項２にかかる発明）の車両用アウトサイドミラー装置は、剛性が高い部材から構成されている傾倒部材に、防振スプリングが取り付けられているので、車体振動による共振が防振スプリングに起こり難い。この結果、この発明（請求項２にかかる発明）の車両用アウトサイドミラー装置は、ミラーユニット（ミラー）の振動をさらに確実に防止することができる。
【００１３】
さらに、この発明（請求項３にかかる発明）の車両用アウトサイドミラー装置は、傾倒部材にはコネクタを取り付けるためのコネクタ取付部が設けられていて、一方、防振スプリングと固定部材と取付部材とが一体化、すなわち、サブアセンブリ化されている。このために、この発明（請求項３にかかる発明）の車両用アウトサイドミラー装置は、取付部材をコネクタ取付部に取り付けることにより、防振スプリングを固定部材および取付部材およびコネクタ取付部を介して格納ユニットの傾倒部材に簡単に取り付けることができ、防振スプリングの傾倒部材への取付作業性が向上される。
【００１４】
その上、この発明（請求項３にかかる発明）の車両用アウトサイドミラー装置は、格納ユニットとして、コネクタを取り付けるためのコネクタ取付部が傾倒部材に設けられている既存の格納ユニットを使用することができる。このために、この発明（請求項３にかかる発明）の車両用アウトサイドミラー装置は、コネクタを取り付けるためのコネクタ取付部が傾倒部材に設けられている既存の格納ユニットを使用する車種であれば、いかなる車種でも適用することができ、汎用性に優れている。
【００１５】
さらにまた、この発明（請求項４にかかる発明）の車両用アウトサイドミラー装置は、取付部材がコネクタ取付部に３方向に対して固定された状態で取り付けられていて、固定部材がミラーアセンブリのミラーハウジングに固定されているので、取付部材と固定部材とを介して防振スプリングを格納ユニットのコネクタ取付部とミラーアセンブリのミラーハウジングとに固定支持することができる。この結果、この発明（請求項４にかかる発明）の車両用アウトサイドミラー装置は、ミラーユニットが防止スプリングを介して格納ユニットとミラーハウジングとに支持されるので、車両の走行時において、車体の振動がベースから格納ユニットを介してミラーアセンブリに伝達されても、格納ユニットとミラーハウジングに支持されているミラーユニットが単独で振動するのを防止することができ、ミラーユニットの反射面のビビリを防止することができ、ミラー面の視認性が向上される。
【発明を実施するための最良の形態】
【００１６】
以下、この発明にかかる車両用アウトサイドミラー装置の実施例を図面に基づいて詳細に説明する。なお、この実施例によりこの発明が限定されるものではない。
【実施例】
【００１７】
以下、この実施例における車両用アウトサイドミラー装置の構成について説明する。図１において、符号１は、この実施例における車両用アウトサイドミラー装置であって、この例では自動車用のドアミラーである。この実施例のドアミラー１は、図示を省略するが、自動車の左右のドア（車体）にそれぞれ装備されている。なお、この実施例のドアミラー１は、自動車の右側（ドライバー側から自動車の前進方向側を見た右側）のドアに装備されるものであって、自動車の左側のドアに装備されるドアミラーは、この実施例のドアミラー１とほぼ左右が逆となる。
【００１８】
この実施例のドアミラー１は、前記ドアに固定されるベース２と、前記ベース２に格納ユニット３を介して可倒可能に装備されているミラーアセンブリ４と、防振スプリングアセンブリ３１と、を備えるものである。
【００１９】
前記格納ユニット３は、図２〜図７に示すように、既存の格納ユニットであって、前記ベース２に固定されている中空状のシャフト５と、前記シャフト５に可倒機構（図示せず）を介して前記シャフト５回りに可倒可能に取り付けられている傾倒部材６、７と、から構成されている。
【００２０】
前記シャフト５の一端（下端）には、シャフトホルダ８が一体に設けられている。前記シャフト５および前記シャフトホルダ８は、たとえば、ダイカスト製から構成されている。前記シャフトホルダ８は、前記ベース２にスクリュー（図示せず）により固定されている。前記傾倒部材は、ギアケース６とギアカバー７とからなるケーシングから構成されている。前記ギアケース６と前記ギアカバー７は、合成が高い部材、たとえば、ガラス繊維が含有されている合成樹脂製から構成されている。前記可倒機構は、前記シャフト５と前記ギアケース６および前記ギアカバー７との間に介装されている。前記可倒機構は、手動の場合には、クラッチ機構からなり、また、電動の場合には、モータと減速機構とクラッチ機構とからなる。
【００２１】
前記傾倒部材としての前記ギアカバー７の上面には、前記シャフト５と連通する円筒部９が一体に設けられている。また、前記ギアカバー７の上面のうち、前記円筒部９すなわち前記シャフト５の近傍には、コネクタ取付部１０が一体に設けられている。前記コネクタ取付部１０は、電源側のハーネス（図示せず）とミラー側のハーネス（図示せず）とを電気的に接続するコネクタ（図示せず）を取り付けるためのものである。
【００２２】
前記コネクタ取付部１０は、図２〜図７、図１０〜図１２に示すように、一対の押さえ壁１１と、４本の押さえ爪１２と、からなる。前記押さえ爪１２は、前記押さえ壁１１の上面の両端部に、前記一対の押さえ壁１１の相対向する方向にそれぞれ一体に突設されている。前記押さえ爪１２と前記ギアカバー７の上面とは、相対向している。この結果、前記コネクタ取付部１０は、相対向する前記一対の押さえ壁１１、および、相対向する前記押さえ爪１２と前記ギアカバー７の上面とにより、コネクタを取り付ける空間が形成される。
【００２３】
前記一対の押さえ壁１０、１０は、前記ギアカバー７の上面に前記円筒部９と並列にかつ相互に平行に一体に設けられている。前記一対の押さえ壁１０、１０の相対向する面は、押さえ面１３を構成する。前記押さえ面１３の両端部には、溝１４がそれぞれ設けられている。
【００２４】
前記溝１４の前記押さえ壁１０、１０の端側の面は、前記押さえ面１３に対して垂直な垂直面をなす。また、前記溝１４の前記押さえ壁１０、１０の中央側面は、前記押さえ面１３に対して傾斜した傾斜面をなす。さらに、前記溝１４の垂直面と傾斜面との間の底側の面は、前記押さえ面１３に対して平行な水平面をなす。
【００２５】
前記押さえ面１３の両端部に前記溝１４を設けることにより、前記押さえ壁１０、１０のうち、前記溝１４の垂直面を有する両端部には、係合凸部１５がそれぞれ形成される。前記係合凸部１５の外側の角部には、湾曲面状のガイド面１６がそれぞれ設けられている。
【００２６】
前記ミラーアセンブリ４は、図１〜図５に示すように、前記ミラーハウジング１７と、ミラーユニット１８と、カバー（化粧カバー、ガーニッシュ、シェルフレーム）１９と、から構成されている。
【００２７】
前記ミラーハウジング１７は、一方（正面側、自動車の後退方向側、以下「後側」と称する）２０が開口し、かつ、他方（背面側、自動車の前進方向側、以下「前側」と称する）２１が閉塞した形状をなす。前記ミラーハウジング１７の一端部（右側端部）の下部には、前記ベース２および前記シャフトホルダ８が収納される凹部２２が設けられている。前記凹部２２の底部には、前記シャフトホルダ８が挿通する挿通孔２３が設けられている。
【００２８】
前記格納ユニット３の前記シャフトホルダ８は、前記ミラーアセンブリ４の前記ミラーハウジング１７の前記挿通孔２３中に挿通されていて、かつ、前記ミラーアセンブリ４の前記ミラーハウジング１７の前記凹部２２中に収納されている。前記格納ユニット３の前記ギアケース６と、前記ミラーアセンブリ４の前記ミラーハウジング１７とは、スクリューなどの固定手段により、相互に固定されている。この結果、前記ミラーアセンブリ４は、前記ベース２に前記格納ユニット３を介して傾倒可能に装備されることとなる。
【００２９】
前記ミラーユニット１８は、反射面を有するミラーボディー２４と、前記ミラーボディー２４を保持するミラーホルダ２５と、前記ミラーホルダ２５に一体に設けられている凸部２６と、から構成されている。前記ミラーユニット１８は、前記ミラーハウジング１７の前記開口部２０に配置されている。
【００３０】
すなわち、前記ミラーハウジング１７の前記閉塞部２１の正面側には、パワーユニット２７およびピボット機構２８が取り付けられている。前記パワーユニット２７の進退機構２９および前記ピボット機構２８には、前記ミラーユニット１８の前記ミラーホルダ２５が取り付けられている。この結果、前記ミラーユニット１８は、前記ミラーハウジング１７に、水平軸回りに上下に回転可能にかつ垂直軸回りに左右に回転可能に取り付けられている。これにより、前記ミラーユニット１８の前記ミラーボディー２４の反射面をドライバーに視点（視線）に合わせて調整することができる。
【００３１】
前記ミラーユニット１８の前記凸部２６には、前記ピボット機構２８の中心を中心とする鏡面の一部からなる当接面が設けられている。前記ミラーユニット１８の前記凸部２６は、前記格納ユニット３の前記コネクタ取付部１０の近傍に位置する。一方、前記ミラーハウジング１７の前記閉塞部２１のうち、前記ミラーユニット１８の前記凸部２６の近傍には、当たり壁３０が一体に設けられている。
【００３２】
前記カバー１９の縁部は、前記ミラーハウジング１７の前記閉塞部２１の縁部に固定されている。この結果、前記カバー１９は、前記ミラーハウジング１７の前記閉塞部２１を覆う。
【００３３】
前記防振スプリングアセンブリ３１は、前記格納ユニット３に取り付けられていて、前記ミラーユニット１８に弾性当接して前記ミラーユニット１８の振動を防止するものである。前記防振スプリングアセンブリ３１は、図２〜図１２に示すように、防振スプリング３２と、固定部材３３と、取付部材３４と、から構成されている。
【００３４】
前記防振スプリング３２は、丸棒状の弾性線部材、たとえば、丸鋼線をゲート形状（コの字形状） に折り曲げてなるものである。前記防振スプリング３２の両端部は、前記固定部材３３に固定されている。
【００３５】
前記固定部材３３は、たとえば、合成樹脂製からなる。前記固定部材３３は、中央３７が空所の五角形形状をなす。すなわち、前記固定部材３３は、水平辺部と、長垂直辺部と、短垂直辺部と、長傾斜辺部と、短傾斜辺部と、からなる五角形形状をなす。前記固定部材３３の長傾斜辺部には、前記防振スプリング３２が固定されている。また、前記固定部材３３の水平辺部には、前記取付部材３４が一体に設けられている。
【００３６】
前記取付部材３４は、たとえば、合成樹脂製からなる。前記取付部材３４は、中空状の直方体形状をなし、かつ、中空の中間には中仕切壁が一体に設けられている。前記取付部材３４の先端部（前記固定部材３３と一体側の端部と反対側の端部）は、前記コネクタ取付部１０の相対向する前記一対の押さえ壁１１、および、相対向する前記押さえ爪１２と前記ギアカバー７の上面とにより形成されている空間中に挿入圧入し得る中空状の直方体形状をなす。すなわち、前記取付部材３４の左右両側面の間の距離は、前記コネクタ取付部１０の相対向する前記一対の押さえ壁１１の間の距離とほぼ等しいか若干小さい。また、前記取付部材３４の上下両面の間の距離は、前記コネクタ取付部１０の相対向する前記押さえ爪１２と前記ギアカバー７の上面と１の間の距離とほぼ等しいか若干小さい。なお、図９中の二点鎖線に示すように、前記取付部材３４の先端部を先細り形状とすることにより、前記取付部材３４の先端部を、前記コネクタ取付部１０の相対向する前記一対の押さえ壁１１、および、相対向する前記押さえ爪１２と前記ギアカバー７の上面とにより形成されている空間中に挿入圧入する際に、圧入挿入し易くなる。
【００３７】
前記取付部材３４の先端部の左右両側面には、前記コネクタ取付部１０の前記係合凸部１５に弾性係合する弾性係合部３５がそれぞれ設けられている。前記弾性係合部３５は、切り溝を介して設けられている弾性片の設けられている。前記弾性係合部３５は、傾斜面と水平面と垂直面とから囲まれた突部からなる。また、前記取付部材３４の先端部の左右両側面には、前記コネクタ取付部１０の前記係合凸部１５に当たるストッパ部３６がそれぞれ設けられている。
【００３８】
以下、前記防振スプリングアセンブリ３１の前記コネクタ取付部１０への組付方について説明する。まず、図１０に示すように、前記防振スプリングアセンブリ３１の前記取付部材３４の先端部を、前記コネクタ取付部１０の前記一対の押さえ壁１１の間および前記押さえ爪１２と前記ギアカバー７の上面との間に挿入する。このとき、前記コネクタ取付部１０の係合凸部１５のガイド面１６が湾曲面状をなすので、前記取付部材３４の先端部の前記コネクタ取付部１０への挿入が容易かつ確実である。
【００３９】
すると、図１１に示すように、前記取付部材３４の前記弾性係合部３５の傾斜面が前記コネクタ取付部１０の前記係合凸部１５の湾曲面状のガイド面１６に当たる。ここで、前記取付部材３４を前記コネクタ取付部１０中にさらに挿入する。すると、前記取付部材３４の前記弾性係合部３５が図１１中の実線矢印方向に撓む。
【００４０】
さらに、前記取付部材３４を前記コネクタ取付部１０中に挿入する。すると、図１２に示すように、前記取付部材３４の前記弾性係合部３５が弾性復帰して、前記取付部材３４の前記弾性係合部３５の垂直面が前記コネクタ取付部１０の前記係合突部１５の垂直面に弾性係合する。これにより、前記取付部材３４が前記コネクタ取付部１０中から抜けるのを防止することができる。また、前記取付部材３４の前記弾性係合部３５が前記コネクタ取付部１０の前記係合突部１５に弾性係合した時点で、前記取付部材３４の前記ストッパ部３６が前記コネクタ取付部１０の前記係合凸部１５に当たる。これにより、前記取付部材３４が前記コネクタ取付部１０中に挿入するのを規制することができる。この結果、前記取付部材３４の前記コネクタ取付部１０中への挿入が完了して、前記取付部材３４が前記コネクタ取付部１０に対して前後方向（挿入方向および挿入方向と反対の方向）において固定される。
【００４１】
前記取付部材３４の前記コネクタ取付部１０中への挿入が完了したとき、前記取付部材３４の先端部の左右両側面は、前記コネクタ取付部１０の相対向する前記一対の押さえ壁１１の押さえ面１３において前記一対の押さえ壁１１により押えられている。また、前記取付部材３４の先端部の上下両面は、前記コネクタ取付部１０の相対向する前記押さえ爪１２と前記ギアカバー７の上面とにより押えられている。この結果、前記取付部材３４が前記コネクタ取付部１０に対して左右上下方向（挿入方向もしくは挿入方向と反対の方向に対して直交する２方向）において固定される。以上のようにして、前記防振スプリングアセンブリ３１は、前記コネクタ取付部１０に確固に取り付けられる。
【００４２】
前記防振スプリングアセンブリ３１の前記固定部材３３の中央空所３７中には、前記ミラーユニット１８の前記凸部２６が挿通されている。また、前記防振スプリングアセンブリ３１の前記防振スプリング３２の中央部は、前記ミラーユニット１８の前記凸部２６の当接面に弾性当接している。さらに、前記防振スプリングアセンブリ３１の前記固定部材３３の上端部は、前記ミラーハウジング１７の前記当たり壁３０に当たっている。この結果、前記防振スプリングアセンブリ３１は、前記格納ユニット３の前記コネクタ取付部１０と前記ミラーハウジング１７の前記当たり壁３０とにより、両側から固定支持されていることとなる。
【００４３】
この実施例における車両用アウトサイドミラー装置（ドアミラー１）は、以上のごとき構成からなり、以下、その作用について説明する。
【００４４】
まず、ミラーユニット１８のミラーボディー２４の反射面で車両の後方を視認することができる。また、パワーユニット２７を駆動させると、ミラーユニット１８を水平軸回りに上下方向にまた垂直軸回りに左右方向に回動させることができ、これにより、ミラーユニット１８のミラーボディー２４の反射面の位置をドライバーの視点（視線）に合わせて調整することができる。このとき、ミラーユニット１８の凸部２６は、防振スプリングアセンブリ３１の固定部材３３の中央空所３７中に挿通されているので、ミラーユニット１８が傾倒する際に、凸部２６は、固定部材３３の中央空所３７中において、ピボット機構２８の中心を中心として球面方向に移動することができ、ミラーユニット１８の傾動になんら支障をきたすようなことが無い。なお、ミラーユニット１８の傾倒中においても、凸部２６は、防振スプリングアセンブリ３１の防振スプリング３２の中央部に常に弾性当接している状態にある。
【００４５】
つぎに、モータの駆動または手動により、ミラーアセンブリ４をシャフト５の回りに時計方向または反時計方向に、可倒機構のクラッチ機構の保持力よりも大きい力で回す。すると、ミラーアセンブリ４は、シャフト５の回りに時計方向または反時計方向に回転して、使用位置、格納位置、前方傾倒位置のうちの所定の位置に位置する。また、使用位置に位置するミラーアセンブリ４に可倒機構のクラッチ機構の保持力よりも大きい力が作用すると、ミラーアセンブリ４は、シャフト５の回りに時計方向または反時計方向に緩衝のために回転する。
【００４６】
ここで、防振スプリングアセンブリ３１は、格納ユニット３のコネクタ取付部１０とミラーハウジング１７の当たり壁３０とにそれぞれ固定支持されていて、その防振スプリングアセンブリ３１の防振スプリング３２は、ミラーユニット１８の凸部２６に弾性当接している。この結果、ミラーユニット１８は、防止スプリングアセンブリ３１の防止スプリング３２を介して格納ユニット３とミラーハウジング１７に確固に支持されていることとなる。これにより、車両の走行時において、車体の振動がベース２から格納ユニット３を介してミラーアセンブリ４に伝達されても、格納ユニット３とミラーハウジング１７に確固に支持されているミラーユニット１８が単独で振動するのを防止することができ、ミラーユニット１８のミラーボディー２４の反射面のビビリを防止することができ、ミラー面の視認性が向上される。
【００４７】
この実施例における車両用アウトサイドミラー装置（ドアミラー１）は、以上のごとき構成および作用からなり、以下、その効果について説明する。
【００４８】
この実施例における車両用アウトサイドミラー装置（ドアミラー１）は、従来の車両用アウトサイドミラー装置のミラー本体のフレームと比較して、車体振動が伝達し難くまた車体振動による共振が起こり難い格納ユニット３のギアカバー７に、防振スプリングアセンブリ３１の防振スプリング３２が取り付けられているので、ミラーアセンブリ４のミラーユニット１８の振動を確実に防止することができる。特に、この実施例における車両用アウトサイドミラー装置（ドアミラー１）は、格納ユニット３のギアカバー７に防振スプリングアセンブリ３１の防振スプリング３２が取り付けられているので、ドアミラー本体のフレームのうち電動格納ユニットから離れた箇所に防振プレートが装着されている従来の車両用アウトサイドミラー装置と比較して、ミラーユニット１８のミラーボディー２４の反射面（ミラー）の振動を確実に防止することができる。
【００４９】
また、この実施例における車両用アウトサイドミラー装置（ドアミラー１）は、防振スプリングアセンブリ３１の防振スプリング３２が格納ユニット３の傾倒部材のギアカバー７うちシャフト５に近い箇所に取り付けられているので、従来の車両用アウトサイドミラー装置のミラー本体のフレームと比較して、車体振動が防振スプリング３２に伝達し難く、また、車体振動による共振が防振スプリング３２に起こり難い。この結果、この実施例における車両用アウトサイドミラー装置（ドアミラー１）は、ミラーユニット１８のミラーボディー２４の反射面（ミラー）の振動をさらに確実に防止することができる。
【００５０】
しかも、この実施例における車両用アウトサイドミラー装置（ドアミラー１）は、剛性が高い部材から構成されている格納ユニット３の傾倒部材のギアカバー７に、防振スプリングアセンブリ３１の防振スプリング３２が取り付けられているので、車体振動による共振が防振スプリング３２に起こり難い。この結果、この実施例における車両用アウトサイドミラー装置（ドアミラー１）は、ミラーユニット１８のミラーボディー２４の反射面（ミラー）の振動をさらに確実に防止することができる。
【００５１】
さらに、この実施例における車両用アウトサイドミラー装置（ドアミラー１）は、格納ユニット３のギアカバー７にはコネクタを取り付けるためのコネクタ取付部１０が設けられていて、一方、防振スプリングアセンブリ３１の防振スプリング３２と固定部材３３と取付部材３４とが一体化、すなわち、サブアセンブリ化されている。このために、この実施例における車両用アウトサイドミラー装置（ドアミラー１）は、防振スプリングアセンブリ３１の取付部材３４を格納ユニット３のコネクタ取付部１０に取り付けることにより、防振スプリング３２を固定部材３３および取付部材３４およびコネクタ取付部１０を介して格納ユニット３のギアカバー７に簡単に取り付けることができ、防振スプリング３２のギアカバー７への取付作業性が向上される。
【００５２】
その上、この実施例における車両用アウトサイドミラー装置（ドアミラー１）は、格納ユニット３として、コネクタを取り付けるためのコネクタ取付部１０がギアカバー７に設けられている既存の格納ユニット３を使用することができる。このために、この実施例における車両用アウトサイドミラー装置（ドアミラー１）は、コネクタを取り付けるためのコネクタ取付部１０がギアカバー７に設けられている既存の格納ユニット３を使用する車種であれば、いかなる車種でも適用することができ、汎用性に優れている。
【００５３】
さらにまた、この実施例における車両用アウトサイドミラー装置（ドアミラー１）は、取付部材３４がコネクタ取付部１０に３方向に対して固定された状態で取り付けられていて、固定部材３３がミラーアセンブリ４のミラーハウジング１７の当たり壁３０に当たって固定されているので、取付部材３４と固定部材３３とを介して防振スプリング３２を格納ユニット３のコネクタ取付部１０とミラーアセンブリ４のミラーハウジング１７とに固定支持することができる。この結果、この実施例における車両用アウトサイドミラー装置（ドアミラー１）は、ミラーユニット１８が防止スプリング３２を介して格納ユニット３とミラーハウジング１７とに支持されるので、車両の走行時において、車体の振動がベース２から格納ユニット３を介してミラーアセンブリ４に伝達されても、格納ユニット３とミラーハウジング１７に支持されているミラーユニット１８が単独で振動するのを防止することができ、ミラーユニット１８のミラーボディー２４の反射面のビビリを防止することができ、ミラー面の視認性が向上される。
【００５４】
図１３は、変形例を示す縦断面図（図１におけるＩＩＩ−ＩＩＩ線断面図）である。すなわち、防振スプリングアセンブリ３１の固定部材３３に嵌合ピン３８を設け、一方、ミラーハウジング１７の当たり壁３０に嵌合孔３９を設け、前記嵌合ピン３８を前記嵌合孔３９に嵌合させるものである。この変形例は、防振スプリングアセンブリ３１の固定部材３３の嵌合ピン３８がミラーハウジング１７の当たり壁３０に嵌合孔３９に嵌合するので、防振スプリングアセンブリ３１を格納ユニット３のコネクタ取付部１０とミラーアセンブリ４のミラーハウジング１７とに固定支持する際の位置決めとなり、防振スプリングアセンブリ３１を格納ユニット３のコネクタ取付部１０とミラーアセンブリ４のミラーハウジング１７との所定の位置に固定支持することができる。しかも、この変形例は、固定部材３３が当たり壁３０に当たっていると共に固定部材３３の嵌合ピン３８が当たり壁３０に嵌合孔３９に嵌合するので、固定部材３３とミラーハウジング１７とは、固定部材３３が当たり壁３０に当たっている方向（嵌合ピン３８の中心方向もしくは嵌合方向）、および、その方向と直交する方向に対して、相互に確固に固定されることとなる。これにより、この変形例は、固定部材３３が当たり壁３０に当たっているだけの実施例と比較して、ミラーユニット１８の振動をさらに確実に防止することができる。なお、嵌合ピン３８と嵌合孔３９との嵌合は、挿入式もしくは圧入式である。
【００５５】
以下、前記の実施例以外の例について説明する。前記の実施例においては、ドアミラーについて説明したが、この発明においては、その他の自動車用アウトサイドミラー装置、たとえば、フェンダミラーやトラックミラーなどであっても良い。
【００５６】
また、前記の実施例においては、防振スプリング３２としては、丸棒状の弾性線部材、たとえば、丸鋼線をゲート形状（コの字形状）に折り曲げたゲートタイプの防振スプリングを使用するものである。ところが、この発明においては、防振スプリングとして、ゲートタイプの防振スプリング以外の防振スプリング、たとえば、板形状の防振スプリングであっても良い。
【００５７】
さらに、前記の実施例においては、コネクタを使用しない例であって、防振スプリングアセンブリ３１をコネクタの代わりに格納ユニット３のコネクタ取付部１０に固定するものである。ところが、この発明においては、コネクタを使用する場合、新たなコネクタ取付部を格納ユニット３のほかのミラーアセンブリ４に設けるものである。
【図面の簡単な説明】
【００５８】
【図１】この発明にかかる車両用アウトサイドミラー装置の実施例を示すドアミラーの正面図である。
【図２】同じく、図１におけるＩＩ−ＩＩ線断面図である。
【図３】同じく、図１におけるＩＩＩ−ＩＩＩ線断面図である。
【図４】同じく、ミラーアセンブリのミラーハウジングおよびカバーの一部を破断して格納ユニットと防振スプリングアセンブリとミラーユニットとの相対関係を示す斜視図である。
【図５】同じく、ミラーアセンブリのミラーハウジングからカバーを取り外して格納ユニットと防振スプリングアセンブリとミラーユニットとの相対関係を示す斜視図である。
【図６】同じく、格納ユニットおよび防振スプリングアセンブリを示す斜視図である。
【図７】同じく、格納ユニットと防振スプリングアセンブリとを示す分解斜視図である。
【図８】同じく、防振スプリングアセンブリを示す正面図である。
【図９】同じく、防振スプリングアセンブリを示す平面図である。
【図１０】同じく、防振スプリングアセンブリをコネクタ取付部に取り付ける前の状態を示す断面図である。
【図１１】同じく、防振スプリングアセンブリの弾性係合部が撓んでいる状態を示す断面図である。
【図１２】同じく、防振スプリングアセンブリをコネクタ取付部に取り付けた状態を示す断面図である。
【図１３】変形例を示す縦断面図である。
【符号の説明】
【００５９】
１  ドアミラー（車両用アウトサイドミラー装置）
２  ベース
３  格納ユニット
４  ミラーアセンブリ
５  シャフト
６  ギアケース（傾倒部材）
７  ギアカバー（傾倒部材）
８  シャフトホルダ
９  円筒部
１０  コネクタ取付部
１１  押さえ壁
１２  押さえ爪
１３  押さえ面
１４  溝
１５  係合凸部
１６  ガイド面
１７  ミラーハウジング
１８  ミラーユニット
１９  カバー
２０  開口部
２１  閉塞部
２２  凹部
２３  挿通孔
２４  ミラーボディー
２５  ミラーホルダ
２６  凸部
２７  パワーユニット
２８  ピボット機構
２９  進退機構
３０  当たり壁
３１  防振スプリングアセンブリ
３２  防振スプリング
３３  固定部材
３４  取付部材
３５  弾性家郷部
３６  ストッパ部
３７  空所
３８  嵌合ピン
３９  嵌合孔
【図１】
2010076676.tif 000003
【図２】
2010076676.tif 000004
【図３】
2010076676.tif 000005
【図４】
2010076676.tif 000006
【図５】
2010076676.tif 000007
【図６】
2010076676.tif 000008
【図７】
2010076676.tif 000009
【図８】
2010076676.tif 000010
【図９】
2010076676.tif 000011
【図１０】
2010076676.tif 000012
【図１１】
2010076676.tif 000013
【図１２】
2010076676.tif 000014
【図１３】
2010076676.tif 000015